(57)【要約】【課題】  化粧品等の小物を収容させる包装用容器において、特に、簡便な構造で、かつ確実に上蓋をロックすることができる包装用容器を提供する。【解決手段】  背面部２及び正面部３と、側面部４、５と、上蓋部６及び下蓋部７と、上蓋部６に連設された上蓋差込片８と、下蓋部７に配置された下蓋差込片９と、側面部４の端部に形成されたフラップ１０〜１４とからなる箱形状の包装用容器１である。上蓋部６に配設されるフラップ１０、１２に突起部２０を備えるとともに、上蓋差込片８に、突起部２０に係止する係止片３１を形成する切込部３０を備える。【選択図】  図１
0003183110.tif 000002
【実用新案登録請求の範囲】
【請求項１】
互いに対向する正面部及び背面部と、該正面部及び背面部の側方にそれぞれ接続された側面部と、正面部及び背面部のうちの少なくともいずれか一方の上方に接続された上蓋部と、正面部及び背面部のうちの少なくとも一方の下方に接続された下蓋部と、上蓋部に連設された上蓋差込片と、下蓋部に連設された下蓋差込片と、前記側面部の上下方向端部に形成されたフラップとを備える箱形状の包装用容器において、
前記フラップのうちの上蓋側のフラップに突起部を備えるとともに、前記上蓋差込片に、前記突起部に係止する係止片を備え、かつ、前記突起部が、前記係止片と係止する部分のみに形成され、係止されたときに前記上蓋差込片を押圧することを特徴とする包装用容器。
【請求項２】
前記係止片が、容器内側方向に突出された状態で形成されている請求項１記載の包装用容器。
【請求項３】
前記係止片が、押し加工により形成された凸部である請求項１又は２記載の包装用容器。
【請求項４】
前記係止片が、押し加工により切り込みが形成された凸部である請求項１又は２記載の包装用容器。
【請求項５】
前記係止片が、切り込み加工に形成された切込部である請求項１又は２記載の包装用容器。
【請求項６】
前記切込部が、コの字形である請求項５記載の包装用容器。
【請求項７】
前記係止片を、前記上蓋部との接続部から前記上蓋差込片の先端に向けて複数個を備える請求項１〜６のいずれか１項に記載の包装用容器。
【請求項８】
係止片が、前記上蓋部との接続部から３ｍｍ〜５ｍｍ離れた位置に形成されてなる請求項１〜７のいずれか１項に記載の包装用容器。
【考案の詳細な説明】
【技術分野】
【０００１】
本考案は、化粧品等の小物を収容する包装用容器に関し、詳しくは、簡便な構造で、上蓋をロックしかつ容易に開放することができる包装用容器に関する。
【背景技術】
【０００２】
通常、化粧品等の小物を収容する包装用容器は、紙やプラスチック等の素材で形成されていて、上蓋よりなる上面部と下蓋よりなる底面部と、該上面部と底面部の間に連設された正面部、背面部及び側面部とからなる直方体の箱体ものが代表例として挙げられる。また、従来の包装用容器は、容器内の収納物が容易に飛び出さないように、下蓋や上蓋の差込みフラップとサイドフラップとの係合により箱にロック機能を付与したものがある。
【０００３】
従来のロック機能としては、図９に示すロック機構がある。図９に示した包装用容器４０は、下蓋４１と下蓋差込片４２との間の折曲線４３端部に切込部４４を形成するとともに、下蓋４１側のフラップ４５，４６に、前記切込部４４に差し込まれる差込部４７，４８を備えることにより、下蓋４１にロック機構が設けられる。
【０００４】
図９に示すロック機構は、図１０に示すように、上蓋にも用いられることがある。図１０に示した包装用容器５０は、上蓋５１と上蓋差込片５２との間の折曲線５３端部に切込部５４を形成するとともに、上蓋５１側のフラップ５５，５６に、前記切込部５４に差し込まれる差込部５７，５８を備える。下蓋については図９と同じロック機構を備える。これにより、下蓋４１と上蓋５１の両蓋にロック機構が設けられる。
【０００５】
また、かかる包装用容器における改良技術として、例えば、開蓋し易い適度なロック機能を有し、かつ箱を確実に成形することができる包装箱が提案されている（特許文献１参照）。
【０００６】
特許文献１記載の包装箱は、正面板、側面板、背面板、蓋部、該側面板の端部に形成されるサイドフラップ及び蓋部の端部に形成される差込みフラップを有する包装箱であって、該サイドフラップの側部に係止部を有し、該差込みフラップに押圧部を有する。該押圧部は、該係止部と係合可能な部位に配置され、該差込みフラップ表面側の凹部と該差込みフラップ裏面側の凸部とからなり、かつ該蓋部と該差込みフラップとの折り込み線と平行となる部分と該折り込み線と平行とはならない部分との組み合わせからなる。
【先行技術文献】
【特許文献】
【０００７】
【特許文献１】特開２０１１−５７２３６号公報（特許請求の範囲等）
【考案の概要】
【考案が解決しようとする課題】
【０００８】
しかしながら、図９、図１０に示したロック機構はロック強度が強すぎ、開閉を複数回行うと、蓋の破損が生じることがあった。また上掲特許文献１の包装箱は、差込みフラップの押圧部と、サイドフラップの係止部との係止状態は、押圧部を型押しすることにより裏面に形成される凸部の加工の如何によっては、上蓋を確実にロックすることが難しい場合があった。また、押圧部の深さの違いにより係止状態が異なるため、好適な押圧部を形成するには高度な加工技術を必要とした。かかる包装箱に限らず、従来の包装用容器においては、化粧品等の小物を収容するにあたり、簡便な構造で、かつ確実に上蓋をロックすることは困難であった。
【０００９】
そこで本考案の目的は、化粧品等の小物を収容させる包装用容器において、特に、簡便な構造で、かつ確実に上蓋をロックすることができる包装用容器を提供することにある。
【課題を解決するための手段】
【００１０】
前記課題を解決するために、本考案の包互いに対向する正面部及び背面部と、該正面部及び背面部の側方にそれぞれ接続された側面部と、正面部及び背面部のうちの少なくともいずれか一方の上方に接続された上蓋部と、正面部及び背面部のうちの少なくとも一方の下方に接続された下蓋部と、上蓋部に連設された上蓋差込片と、下蓋部に連設された下蓋差込片と、前記側面部の上下方向端部に形成されたフラップとを備える箱形状の包装用容器において、
前記フラップのうちの上蓋側のフラップに突起部を備えるとともに、前記上蓋差込片に、前記突起部に係止する係止片を備え、かつ、前記突起部が、前記係止片と係止する部分のみに形成され、係止されたときに前記上蓋差込片を押圧することを特徴とするものである。
【００１１】
本考案の包装用容器においては、前記係止片が、容器内側方向に突出された状態で形成されていることが好ましく、また、前記係止片が、押し加工により形成された凸部であることや、前記係止片が、押し加工により切り込みが形成された凸部であることや、前記係止片が、切り込み加工に形成された切込部であることが、より好ましい。更に、前記切込部が、コの字形であることが、より好ましい。本考案の包装用容器においては、前記係止片を、前記上蓋部との接続部から前記上蓋差込片の先端に向けて複数個を備えることが好ましく、また、係止片が、前記上蓋部との接続部から３ｍｍ〜５ｍｍ離れた位置に形成されてなることが好ましい。
【考案の効果】
【００１２】
本考案によれば、簡便な構造で、確実に上蓋をロックすることができる。
【００１３】
特に、係止片を容器内側方向に突出された状態で形成することで、上蓋差込片を差し込んだ際に、係止片を突起部に確実に係止することができる。
【図面の簡単な説明】
【００１４】
【図１】本考案の包装用容器の展開状態の平面図である。
【図２】図１の包装用容器を組み立てた状態の斜視図である。
【図３】図１の上蓋差込片を差し込む状態の拡大図である。
【図４】図１の包装用容器の使用状態の断面図である。
【図５】本考案の他の実施形態の包装用容器の展開状態の平面図である。
【図６】本考案の他の実施形態の包装用容器の展開状態の平面図である。
【図７】図５及び図６に示す係止部の断面図である。
【図８】その他の好適例、本考案の包装用容器の展開状態の平面図である。
【図９】下蓋にロック機構を施した従来の包装用容器の展開状態の平面図である。
【図１０】下蓋及び上蓋にロック機構を施した従来の包装用容器の展開状態の平面図である。
【考案を実施するための形態】
【００１５】
以下に、本考案の包装用容器の実施形態を、図面を参照して詳細に説明する。
図１は、本考案の一実施形態に係る包装用容器１の展開状態の平面図である。包装用容器１は、互いに対向する背面部２及び正面部３と、該正面部３の両側面にそれぞれ連設され、該背面部２及び正面部３の側方にそれぞれ接続された一対の側面部４，５と、背面部２及び正面部３のうちの少なくとも一方の上方に接続され、図示した例では正面部３の上方に連設される上蓋部６と、背面部２及び正面部３のうちの少なくとも一方の下方に接続され、図示した例では正面部３の下方に連設される下蓋部７と、上蓋部６に連設された上蓋差込片８と、下蓋部７に連設された下蓋差込片９と、前記側面部４，５の上方向端部に形成されたフラップ１０、１２と、前記側面部４，５の下方向端部に形成されたフラップ１１、１３とを備えている。
【００１６】
背面部２の側面には、側面部４の内面に貼着される接着部１４が連設されている。それぞれの部材を区分する折曲線に沿って図１に示した包装用容器１を折り込み、組み立て、接着部１４に接着剤を塗布して該接着部１４を側面部４の内面側と接着すると、包装用容器１は、図２に示すように薄状直方体の箱体に形成される。なお、包装用容器１は、好ましくは紙やプラスチックシート等の汎用素材を用いることができ、化粧品等の小物を収容するのに適したものであれば、特に限定されない。
【００１７】
ここで、包装用容器１の下蓋は、下蓋部７と下蓋差込片９との連設部の両端部分に切込１５を形成し、フラップ１１，１３の一部に差込部１６を形成することにより、ロックすることができる。かかる下蓋は開けることを前提としておらず、よって図示したロック構造の他に、既知の強固なロック構造を適宜採用することができる。
【００１８】
本考案の好適実施形態において、上蓋部６側に配設されるフラップ１０，１２には突起部２０が形成されている。突起部２０は、フラップ１０，１２の側面（組立時の上面）に形成され、図示した例では半円状である。なお、突起部２０の形状は半円状に限るものではなく、例えば山形であってもよい。また、形成する数量も特に限定されるものではなく、包装用容器１の寸法に応じ適宜定めればよい。いずれにせよ、突起部２０は、後述する係止片と係止する部分のみに形成されていることが好ましい。これは、確実に係止片と係止するためである。フラップ１０，１２において突起部２０が形成される縁部は、図２に示されるように、突起部２０を除いて、背面部２の上端との間に、わずかな隙間、具体的には、上蓋差込片８の厚さと同程度の隙間が形成されるような寸法、形状となっている。突起部２０ではこの隙間がないような形状と寸法、形状となって係止片と係止する部分のみに形成することができる。このことにより、突起部２０は、上蓋差込片８が差し込まれたときに、上蓋差込片８を押すような力が生じる。したがって、突起部２０を係止片に確実に係止させることができる。
【００１９】
また、上蓋差込片８には、切込部３０を備え、この切込部３０を突起部２０に係止する係止片３１としている。切込部３０は、包装用容器１を箱状に組み立てて、上蓋差込片８を箱内に差し込んだときに、突起部２０の位置に対応する箇所に形成されている。
【００２０】
係止片３１は、差込片８の下方より切り込み加工と押し加工を施すことにより形成される。そのため係止片３１は、包装用容器１の内側方向（図２においては上側方向）に突出された状態に形成される。なお、切り込み加工と押し加工とを一つの工程で行うことができ、個々の工程で行うこともできる。作業効率の点では、切り込み加工と押し加工とを一つの工程で行うことが好ましい。係止片３１は、コの字形状の切り込みによって形成されていることが好ましい。
【００２１】
図３に示すように、フラップ１０を折り曲げて正面部２の縁部に沿って配置させたとき、フラップ１０の突起部２０は、正面部２とフラップ１０との隙間に位置する。また、上蓋差込片８の係止片３１は、包装用容器１の内側に突出され、上蓋６を閉じたときにフラップ１０の突起部２０と係止する。これにより包装用容器１の上蓋のロックが可能になる。
【００２２】
次に、本考案の包装用容器の使用方法の詳細を図４(ａ)、(ｂ)、(ｃ)、(ｄ)及び(ｅ)に基づいて説明する。
【００２３】
図４(ａ)は、上蓋部６と上蓋差込片８を展開した状態の包装用容器１の断面図である。この場合、上蓋差込片８に形成されている係止片３１は、上方に突出された状態となる。
【００２４】
次に、図４(ｂ)に示すように、折曲線１７から上蓋差込片８を曲げ、さらに折曲線１８から上蓋部６を折り曲げ、上蓋差込片８をフラップ１０，１２の突起部２０の上部に差し込む。
【００２５】
上蓋差込片８をさらに差し込むと、図４(ｃ)に示すように係止片３１は突起部２０により切込部３０と同一平面上に押し込まれた状態となる。この状態で図４(ｄ)に示すように、上蓋部６をさらに押し込むと、突起部２０による係止片３１の押圧が解除され、係止片３１は再び包装用容器１の内部に突出される。このときカチッと音がなるので、ロック状態に入ったことを確認することができる。
【００２６】
係止片３１が内部に突出された状態で、上蓋を開くために上蓋部６を開放する方向に動かすと、図４(ｅ)に示すように、包装用容器１内に突出したコの字形の係止片３１の先端が突起部２０の側面に当接して係止される。これにより、上蓋の開放を確実にロックすることができる。
【００２７】
このように本考案によれば、上蓋部６側に配設されるフラップ１０，１２に突起部２０を形成し、上蓋差込片８に、突起部２０に係止する係止片３１を形成した切込部３０を備えることで、簡便な構造で上蓋をロックすることができる。また、ロック時にカチッと音がなるので、ロック状態に入ったことを使用者が容易に確認することができる。また、係止片３１の先端が上蓋部１８に向かうように包装用容器１の内側方向に突出された状態で形成されているため、上蓋差込片８を差し込んだ際、係止片３１が突起部２０に確実に係止される。さらに、下蓋のロック構造のように蓋を開けるときに箱が壊れがちな構造ではなく、上蓋を簡単に開けることができる。また、係止片３１は、切込によって形成されるので、包装用容器を一枚の素材シートから抜き型によって切り出すときに同時に切込部を形成することができ、包装用容器１を製造するコストアップにはならない。
【００２８】
また、本考案の包装用容器における蓋のロック機構は、図１及び図３に示した薄状箱型の包装用容器１に適用される場合に限るものではない。このロック機構は、図５の展開図に示す本考案の他の実施形態の包装用容器である、直方体状の包装用容器１Ａに適用されることができ、この包装用容器１Ａの場合であっても同様の効果が得られる。
【００２９】
また、本考案における蓋のロック機構として、薄状箱型や直方体状の容器の上蓋差込片８に形成される係止片は、図１に示した係止片３１に限られない。図５に示した包装用容器１Ａの係止片は、直線状であって押し加工により形成された凸部３２として形成されている。図５の凸部３２は、図６（ａ）に示すように、押し加工によって容器内側方向（図中下方）に突出された状態で形成されている。また、フラップ１０、１２の突起部２０は、図１等を用いて説明した包装用容器１と同様に、上蓋差込片８が差し込まれたときに、上蓋差込片８を押すような力が生じる構成としている。そのことにより、包装用容器１Ａ内に上蓋差込片８を押し込むと、上蓋差込片８の係止片３２としての凸部３２の先端がフラップ１０、１２の突起部２０の側面に当接して係止され、上蓋の開放を確実にロックすることができる。
【００３０】
また図５の包装用容器１Ａにおいて、係止片は、図６（ａ）に示した凸部３２の代わりに、図６（ｂ）に示す押し加工により切り込みが形成された凸部３３であってもよい。図６（ｂ）では、凸部３３は、容器内側方向（図中下方）に切込３４を有する状態で突出された状態で形成されている。そのことにより、容器内に上蓋差込片８を押し込むと、凸部３２と同様に、凸部３３の先端が突起部２０の側面に当接して係止され、上蓋の開放を確実にロックすることができる。
【００３１】
本考案の包装用容器の他の実施形態を図７を用いて説明する。図７に示す本実施形態の包装用容器１Ｂの係止片は、図１、図５及び図６を用いて先に述べた係止片３１や、係止片としての凸部３２、３３を、前記上蓋部６との接続部（折曲線１７）から前記上蓋差込片８の先端に向けて複数個（図中２個）を備えている。包装用容器１Ｂの係止片は、例えば上下に２個の凸部３２を形成してもよいし、上下に２個の切込３４を有する凸部３３を形成してもよいし、また上側に凸部３２を下側に凸部３３を形成してもよいし、さらに上側に凸部３３を下側に凸部３２を形成してもよく、さまざまなバリエーションで設定することができる。さらに、コの字型の係止片３１と、凸部３２、３３とを組み合わせた２個以上を形成することもできる。
【００３２】
また特に、薄状箱型や直方体状の容器の上蓋差込片８に形成される係止片３１や、係止片としての凸部３２、３３は、図８に包装用容器１Ｃの展開状態の平面図に示すように、上蓋部６の接続部（折曲線１７）から３ｍｍ〜５ｍｍ離れた位置ｄに形成することが好ましい。折曲線１７からの距離が近いと、上蓋差込片８を折曲線に沿って一直線に折り込むのが難しくなる場合がある。また、この位置に形成することで、係止片３１や、係止片としての凸部３２、３３と突起部２０とが最適に係止され、上蓋のロック状態を向上させることができる。
【符号の説明】
【００３３】
１    包装用容器
２    背面部
３    正面部
４    側面部
５    側面部
６    上蓋部
７    下蓋部
８    上蓋差込片
９    下蓋差込片
１０  フラップ
１１  フラップ
１２  フラップ
１３  フラップ
１４  接着部
１５  切込
１６  差込部
１７  折曲線
１８  折曲線
２０  突起部
３０  切込部
３１  係止片
３２  凸部
３３  凸部
３４  切込
４０  包装用容器
４１  下蓋
４２  下蓋差込部
４３  折曲線
４４  切込部
４５  フラップ
４６  フラップ
４７  差込部
４８  差込部
５０  包装用容器
５１  上蓋
５２  上蓋差込部
５３  折曲線
５４  切込部
５５  フラップ
５６  フラップ
５７  差込部
５８  差込部 
【図１】
0003183110.tif 000003
【図２】
0003183110.tif 000004
【図３】
0003183110.tif 000005
【図４】
0003183110.tif 000006
【図５】
0003183110.tif 000007
【図６】
0003183110.tif 000008
【図７】
0003183110.tif 000009
【図８】
0003183110.tif 000010
【図９】
0003183110.tif 000011
【図１０】
0003183110.tif 000012